(57)【要約】【課題】マウント基板の配線パターン等を保護しつつ、部品点数の削減もできる光電気変換装置を提供する。【解決手段】この光電気変換装置１Ｂは、マウント基板３の一方面３ａに形成された基板側配線パターン３６上に立設される柱状配線３８と、柱状配線３８をその先端部３８ａを残して包含可能な厚さでマウント基板３の一方面３ａを覆う絶縁性の封止体３７と、封止体３７の外面に露出した柱状配線３８と電気的に接続する状態で封止体３７の外面に形成される封止体側配線パターン３９とを備えており、封止体側配線パターン３９は、電気コネクタ６の端子６１に対応する配列間隔で配置された封止体側端子部３９ｂを有することを特徴とする。【選択図】図９
2008091504.tif 000002
【特許請求の範囲】
【請求項１】
電気信号を光信号にまたは光信号を電気信号に変換する光素子と、この光素子に電気信号を送信するまたは光素子から電気信号を受信するためのＩＣ回路と、前記光素子が実装されるマウント基板と、外部コネクタと着脱可能な電気コネクタと、前記光素子と光学的に結合する導波路とを備え、前記電気コネクタは、前記マウント基板の一方面に設けられ、前記導波路は、前記マウント基板の一方面またはその反対側の他方面に沿うようにマウント基板に設けられた光電気変換装置であって、
前記マウント基板の一方面に形成された基板側配線パターン上に立設される柱状配線と、
前記柱状配線をその先端を残して包含可能な厚さで前記マウント基板の一方面を覆う絶縁性の封止体と、
前記封止体の外面に露出した柱状配線と電気的に接続する状態で前記封止体の外面に形成される封止体側配線パターンとを備え、
前記封止体側配線パターンは、前記電気コネクタの端子に対応する配列間隔で配置された封止体側端子部を有することを特徴とする光電気変換装置。
【請求項２】
前記光素子および前記ＩＣ回路が、前記マウント基板の一方面に設けられており、前記封止体によって包含されていることを特徴とする請求項１に記載の光電気変換装置。
【発明の詳細な説明】
【技術分野】
【０００１】
本発明は、光素子を備えた光電気変換装置に関するものである。
【背景技術】
【０００２】
従来、光電気変換装置としては、例えば特許文献１の図９に記載されているように、電気信号を光信号に変換して発光する発光素子と、この発光素子に電気信号を送信するためのＩＣ回路が形成され、発光素子が発光する側と反対側から一方面に実装される基板と、発光素子から基板の一方面と直交する方向に延びるように配設されて、発光素子が発光する光を伝送する導波路とを備えたものが知られている。なお、前記発光素子に代えて、受光した光信号を電気信号に変換する受光素子を用いることも可能である。
【０００３】
また、特許文献１の図９に記載された光電気変換装置では、基板の他方面に、配線基板に設けられた雌型の電気コネクタと着脱可能な雄型の電気コネクタが設けられており、これらの電気コネクタ同士が接続されることによって、基板と配線基板とが電気的に接続されるようになっている。
【特許文献１】特開２００１−４２１７０号公報
【発明の開示】
【発明が解決しようとする課題】
【０００４】
しかしながら、前記のような構成では、導波路が発光素子から基板の一方面と直交する方向に延びるように配設されているため、装置全体の高さはかなり高くなる。
【０００５】
ここで、特許文献１の図３に記載されているように、基板の端面に電気コネクタを設けて、発光素子の発光する方向を配線基板と平行な方向にすることも考えられるが、このようにしても少なくとも発光素子の大きさ分や制御ＩＣ素子の大きさ分の装置高さが必要になるため、装置高さをあまり抑えることはできない。
【０００６】
そこで、本出願の出願人は、装置の低背化を図ることができるようにするために、光素子を発光する側または受光する側からマウント基板の一方面に実装し、このマウント基板に光素子用のＩＣ回路を設けるとともにマウント基板の一方面またはその反対側の他方面に外部コネクタと着脱可能な電気コネクタを設け、さらに光素子と光学的に結合する導波路をマウント基板の一方面または他方面に沿うようにマウント基板に設けた光電気変換装置を提案した。
【０００７】
この光電気変換装置であれば、マウント基板の板厚方向における装置全体の高さを抑えることができ、装置の低背化を図ることができる。
【０００８】
このような光電気変換装置においては、マウント基板と電気コネクタとの間にインターポーザ基板（中間基板）を配し、該インターポーザ基板により電極パターンを変換してマウント基板と電気コネクタとを電気的に接続することが考えられるが、このようにするとインターポーザ基板の分だけ部品点数が増加しコストが上昇するため、さらなる部品点数の削減を図ることが望まれる。
【０００９】
本発明は、このような要望に鑑み、マウント基板の配線パターン等を保護しつつ、部品点数の削減もできる光電気変換装置を提供することを目的とする。
【課題を解決するための手段】
【００１０】
請求項１の発明は、電気信号を光信号にまたは光信号を電気信号に変換する光素子と、この光素子に電気信号を送信するまたは光素子から電気信号を受信するためのＩＣ回路と、前記光素子が実装されるマウント基板と、外部コネクタと着脱可能な電気コネクタと、前記光素子と光学的に結合する導波路とを備え、前記電気コネクタは、前記マウント基板の一方面に設けられ、前記導波路は、前記マウント基板の一方面またはその反対側の他方面に沿うようにマウント基板に設けられた光電気変換装置であって、前記マウント基板の一方面に形成された基板側配線パターン上に立設される柱状配線と、前記柱状配線をその先端を残して包含可能な厚さで前記マウント基板の一方面を覆う絶縁性の封止体と、前記封止体の外面に露出した柱状配線と電気的に接続する状態で前記封止体の外面に形成される封止体側配線パターンとを備え、前記封止体側配線パターンは、前記電気コネクタの端子に対応する配列間隔で配置された封止体側端子部を有することを特徴とするものである。
【００１１】
請求項２の発明は、請求項１に記載の光電気変換装置において、前記光素子および前記ＩＣ回路が、前記マウント基板の一方面に設けられており、前記封止体によって包含されていることを特徴とするものである。
【発明の効果】
【００１２】
請求項１の発明によれば、マウント基板の基板側配線パターンを封止して保護する封止体を合理的に利用して、マウント基板と電気コネクタとを電気的に接続することができるので、インターポーザ基板（中間基板）が不要となり、部品点数を削減することができる。
【００１３】
また、マウント基板に柱状配線を立設し、その柱状配線を介してマウント基板と電気コネクタとを電気的に接続するように構成することによって、柱状配線の直径が通常百ミクロン以下であることから、数百ミクロン程度の半田ボールでマウント基板に接続されたインターポーザ基板を用いてマウント基板と電気コネクタとを接続する場合と異なり、マウント基板の基板側配線パターンの占有面積を上記インターポーザ基板を用いる場合よりも小さくすることができる。これにより、マウント基板のサイズを容易に縮小することができる。
【００１４】
また、封止体によりマウント基板の基板側配線パターンを封止して湿気や埃から保護することができる。
【００１５】
請求項２の発明によれば、封止体によってさらに光素子およびＩＣ回路を封止して保護するとともに、光素子およびＩＣ回路で発生する熱を速やかに封止体に移動させることで放熱性を向上させることができる。
【発明を実施するための最良の形態】
【００１６】
以下、本発明を実施するための最良の形態について、図面を参照しながら詳細に説明する。
【００１７】
まず、図１〜図７を参照して、本出願人が以前に提案した光電気変換装置１Ａを参考例として説明する。この光電気変換装置１Ａは、一の配線基板２に電気コネクタ６，７同士の嵌合によって装着される発光側光電気変換部（Ｅ／Ｏモジュールともいう）１Ａ１と、他の配線基板２に同じく電気コネクタ６，７同士の嵌合によって装着される受光側光電気変換部（Ｏ／Ｅモジュールともいう）１Ａ２と、これらの変換部１Ａ１，１Ａ２を光学的に連結する外部導波路９とを備えている。
【００１８】
なお、本明細書では、図１の上下方向を上下方向、図１の紙面と直交する方向を左右方向というとともに、発光側光電気変換部１Ａ１に対しては図１の右側を前方、左側を後方といい、受光側光電気変換部１Ａ２に対しては図１の左側を前方、右側を後方という。
【００１９】
発光側光電気変換部１Ａ１は、平面視で前後方向に延びる長方形状をなすマウント基板３を備えている。このマウント基板３の下面となる一方面３ａには、図２に示すように、電気信号を光信号に変換して発光する発光素子４Ａと、この発光素子４Ａに電気信号を送信するためのＩＣ回路５０Ａが形成されたＩＣ基板５Ａとが実装されているとともに、これら４Ａ，５Ａを下方から覆うようにヘッダ型電気コネクタ（以下、単に「ヘッダ」という）６が設けられている。また、マウント基板３の一方面３ａには、発光素子４Ａの駆動用電源ラインや信号ラインが配線パターン３６で形成されている（図４参照）。さらに、マウント基板３には、発光素子４Ａの真上となる位置に発光素子４Ａが発光する光の光路を略９０°変換するミラー部３３が設けられているとともに、発光素子４Ａと光学的に結合する内部導波路３１がミラー部３３からマウント基板３の前端面３ｂまで延びるように設けられている。
【００２０】
発光素子４Ａは、上下方向に扁平な正方形板状の形状を有し、上面から上方に発光するものであり、発光する側からマウント基板３の一方面３ａに実装されている。この発光素子４Ａとしては、半導体レーザーであるＶＣＳＥＬ（Vertical Cavity Surface Emitting Laser）が採用されている。ＩＣ基板５Ａは、ＶＣＳＥＬを駆動させるドライバＩＣであり、上下方向に扁平な正方形板状の形状を有し、発光素子４Ａの近傍に配置されている。そして、発光素子４ＡおよびＩＣ基板５Ａは、金または半田からなるバンプ１１（図３参照）でマウント基板３の配線パターン３６に接続されている。なお、発光素子４Ａとしては、ＬＥＤ等も採用可能であるが、ＬＥＤ等はＶＣＳＥＬ等のレーザーダイオードに比べて高速発振が難しく、数百ＭＨｚ以下の伝送帯域での使用が条件となり、その場合には低価格という点で有利である。
【００２１】
マウント基板３は、実装時の熱の影響や使用環境による応力の影響を避けるために、剛性が必要である。また、光伝送の場合は、発光素子から受光素子までの光伝送効率が必要になるので、光素子を高精度に実装することや使用中の熱影響による位置変動を極力抑制する必要がある。このため、マウント基板３としては、シリコン基板が採用されている。また、マウント基板３は、発光素子４Ａと線膨張係数の近い材料で構成されていることが好ましく、シリコン以外には、ＶＣＳＥＬ材料と同系統のＧａＡｓ等の化合物半導体や窒化アルミ等のセラミックで構成されていてもよい。
【００２２】
ミラー部３３は、マウント基板３がエッチングされることにより形成された４５°傾斜面に金、銀、銅やアルミニウムを蒸着やスパッタ等の製法で成膜することにより形成することができる。なお、４５°傾斜面は、シリコン結晶のエッチング速度の違いを利用した異方性エッチングにより形成することができる。異方性エッチングには、例えば水酸化カリウム水溶液やＴＭＡＨ（水酸化テトラメチルアンモニウム）水溶液等の強アルカリが用いられる。
【００２３】
内部導波路３１は、マウント基板３の一方面３ａに沿って設けられており、発光素子４Ａが発光する光をマウント基板３の一方面３ａと平行な方向に伝送するものである。この内部導波路３１は、屈折率の異なる２種類の樹脂から構成されている。具体的には、内部導波路３１は、図３に示すように、屈折率の高い樹脂からなるコア３１ａと、コア３１ａを周囲から覆う屈折率の低い樹脂からなるクラッド３１ｂとで構成されており、マウント基板３に形成された導波路形成用溝３２内に配設されている。コア３１ａおよびクラッド３１ｂのサイズは、発光素子４Ａの発散角度と後述する受光素子４Ｂの受光径等による光損失計算から決定される。なお、内部導波路３１は、樹脂以外にも石英等の光透過性のある材料であれば無機材料で構成されていてもよい。
【００２４】
導波路形成用溝３２は、前記４５°傾斜面を形成するのと同様に、異方性エッチングにより形成することができる。なお、異方性エッチング以外にも、導波路形成用溝３２の形成には、反応性イオンエッチング等のドライエッチングの形成方法がある。
【００２５】
図４および図５（ａ）（ｂ）に示すように、断面略矩形状の導波路形成用溝３２と４５°傾斜面とを異方性エッチングにより形成するときには、それらのエッチング条件は異なる。すなわち、エッチング溶液の組成が異なる。従って、エッチングを２回に分けて行う必要がある。ただし、どちらを先に行ってもよい。
【００２６】
あるいは、導波路形成用溝３２を４５°傾斜面と同時に形成するときには、図５（ｃ）および（ｄ）に示すように、導波路形成用溝３２の断面形状が略台形状になって導波路形成用溝３２の溝幅が大きくなる。導波路形成用溝３２は、発光素子４Ａ用のボンディングパッドにかからなければ問題ないため、このようにすることも可能である。
【００２７】
マウント基板３の前端面３ｂには、外部導波路９が光学用接着剤によって接合されるようになっており、この接合により、内部導波路３１は外部導波路９と光学的に結合されるようになる。なお、ミラー部３３から外部導波路９までの距離が短ければ、単に空気中に光を伝搬させるようにしても損失が少ない場合があるため、この場合には、内部導波路３１を省略して、ミラー部３３から外部導波路９に直接光を入射させるようにしてもよい。
【００２８】
外部導波路９は、樹脂光導波路を薄型化したフレキシブルなフィルム状のものを用いた方が取り扱い上便利である。つまり、フィルム状の外部導波路９であれば、屈曲性に優れており、例えば携帯電話等の折り曲げ部に使用しても問題ない。折り曲げの曲率によっては光の損失が発生することもあるが、これはコアとクラッドの屈折率差を大きくすることによって低減させることが可能である。なお、外部導波路９としては、フィルム状のもの以外でも、石英系ファイバやプラスチックファイバであってもよい。
【００２９】
ヘッダ６は、配線基板２に設けられた外部コネクタであるソケット型電気コネクタ（以下、単に「ソケット」という）７と着脱可能なものである。なお、ヘッダ６とソケット７は相互に入れ替え可能であり、マウント基板３にソケット７が設けられ、配線基板２にヘッダ６が設けられていて、ヘッダ６が外部コネクタとなっていてもよい。
【００３０】
ソケット７は、図６（ａ）に示すように、平面視で前後方向に延びる略長方形状をなしている。このソケット７は、ソケット本体７２と、このソケット本体７２に保持される端子７１とを有しており、ソケット本体７２には、平面視で長方形枠状の嵌合凹部７２ａが設けられていて、この嵌合凹部７２ａ内に端子７１が露出している。また、端子７１の端部は、ソケット本体７２から左右方向に張り出しており、この端部が図略の半田等によって配線基板２の上面に形成された図略の配線パターンに接続されている。ソケット７は、通常はリフローによって配線基板２に実装される。
【００３１】
一方、ヘッダ６は、図６（ｂ）に示すように、下面視でソケット７よりも一回り小さな前後方向に延びる略長方形状をなしている。このヘッダ６は、ヘッダ本体６２と、このヘッダ本体６２に保持される端子６１とを有しており、ヘッダ本体６２には、ソケット７の嵌合凹部７２ａに嵌合可能な下面視で長方形枠状の嵌合凸部６２ａが設けられていて、この嵌合凸部６２ａの表面に端子６１が露出している。また、端子６１の端部は、ヘッダ本体６２から左右方向に張り出しており、この端部が半田ボール１０によってマウント基板３の配線パターン３６に接続されている。また、ヘッダ６のマウント基板３への実装には、半田ボール以外にも端子用ポストやピン等を用いることが可能である。なお、マウント基板３と半田ボール１０を含めた高さは、１ｍｍ程度である。
【００３２】
そして、ヘッダ６の嵌合凸部６２ａがソケット７の嵌合凹部７２ａに差し込まれてそれらが嵌合すると、端子６１，７１同士が接触して配線基板２の配線パターンとマウント基板３の配線パターン３６とが電気的に接続されるようになる。このときのソケット７の下面からヘッダ６の上面までの高さは１ｍｍ程度である。このため、発光側光電気変換部１Ａ１を配線基板２に装着したときの配線基板２の上面からマウント基板３の上面となる他方面３ｃまでの高さは２ｍｍ程度となる。
【００３３】
受光側光電気変換部１Ａ２の基本的な構成は、発光側光電気変換部１Ａ１と同様であるため、詳細な説明は省略する。なお、発光側光電気変換部１Ａ１と異なる点としては、図７に示すように、マウント基板３の一方面３ａに、受光して光信号を電気信号に変換する受光素子４Ｂと、この受光素子４Ｂから電気信号を受信するためのＩＣ回路５０Ｂが形成されたＩＣ基板５Ｂとが実装されている点である。受光素子４Ｂとしては、ＰＤが採用されており、ＩＣ基板５Ｂは、電流・電圧の変換を行うＴＩＡ（Trans-impedance Amplifier）素子である。また、マウント基板３には、アンプ素子が実装されることもある。
【００３４】
以上説明したような参考例の光電気変換装置１Ａでは、発光素子４Ａまたは受光素子４Ｂが実装されるマウント基板３の一方面３ａにヘッダ６を設けるとともに、内部導波路３１をマウント基板３の一方面３ａと平行な方向に延びるように設けたから、マウント基板３の板厚方向における装置全体の高さを抑えることができ、装置の低背化を図ることができる。
【００３５】
次に、図８〜図１０を参照して、本発明の一実施形態に係る光電気変換装置１Ｂを説明する。この光電気変換装置１Ｂは、参考例の光電気変換装置１Ａを改良したものであるため、参考例と同一構成部分には同一符号を付して、その説明は省略する。また、この光電気変換装置１Ｂにおいても、受光側光電気変換部は発光側光電気変換部と同様であるため、発光側光電気変換部１Ｂ１のみを図示して説明する。
【００３６】
本実施形態の発光側光電気変換部１Ｂ１では、図８に示すように、シリコン樹脂製のマウント基板３の一方面３ａに封止体３７が設けられており、該封止体３７を介してマウント基板３とヘッダ６とが電気的に接続されている。
【００３７】
すなわち、マウント基板３の一方面３ａに形成された配線パターン（基板側配線パターン）３６は、図９に示すように、外部電気接続用端子部３６ａと、配線部３６ｂと、発光素子４Ａ用およびＩＣ基板５Ａ用の端子部３６ｃとにより構成されている。そして、図８および図１０に示すように、配線パターン３６の外部電気接続用端子部３６ａには、マウント基板３の一方面３ａに対して略垂直に延びるように柱状配線３８が立設されている。この柱状配線３８は、マウント基板３の各外部電気接続用端子部３６ａ上にメッキ工法等で金属を柱状に積み上げることで形成される。
【００３８】
また、マウント基板３の一方面３ａには、絶縁性樹脂（市販のチップサイズパッケージ用封止樹脂、例えば、松下電工製の「ＣＶ８７１０」系材料や「ＣＶ８５１０」系材料）からなる封止体３７が設けられている。封止体３７は、発光素子４ＡおよびＩＣ基板５Ａの全体を包み込むとともに、柱状配線３８をその先端部３８ａを残して包含している。従って、柱状配線３８は、先端部３８ａが封止体３７の外面（下面）に露出する態様となっている。この封止体３７は、マウント基板３上の配線パターン３６、発光素子４ＡおよびＩＣ基板５Ａを封止して湿気や埃等から保護する機能を有している。
【００３９】
封止体３７の下面には、再配置配線パターン（封止体側配線パターン）３９が形成されている。この再配置配線パターン３９は、再配置配線部３９ａと再配置端子部３９ｂとにより構成され、再配置配線部３９ａは、封止体３７の外面に露出した柱状配線３８の先端部３８ａと電気的に接続している。これにより、配線パターン３６と再配置配線パターン３９とが、柱状配線３８により電気的に接続されている。
【００４０】
また、再配置端子部３９ｂは、その配列間隔（ピッチ）がヘッダ６の端子６１のピッチと略等しくなるように位置決めされて形成されている。従って、本実施形態では、封止体３７、柱状配線３８および再配置配線パターン３９が、インターポーザ基板（中間基板）としての役割を兼ねるようになっている。なお、本実施形態では図示の都合上、ヘッダ６の端子６１の数を参考例とは異ならせている。
【００４１】
また、上記構成において、外部電気接続用端子部３６ａと再配置端子部３９ｂの数を必ずしも１対１に対応させる必要はなく、複数の柱状配線３８を１つにまとめながら封止体３７の外面に露出させ、封止体３７の外面の再配置配線パターン３９に接続することも可能である。従って、柱状配線３８で電気ラインを集約させて、ヘッダ６およびソケット７の端子数を低減させることも可能である。
【００４２】
このように構成することによって、マウント基板３の配線パターン３６の自由度を向上させることができる。すなわち、マウント基板３には、発光素子４ＡおよびＩＣ基板５Ａが実装されているために、マウント基板３の配線パターン３６の外部電気接続用端子部３６ａをヘッダ６の端子６１に一致させることが困難な場合があるので、このような場合には、上記端子数の変換手法が特に有効である。
【００４３】
前記実施形態であれば、マウント基板３の配線パターン３６を封止して保護する封止体３７を合理的に利用して、マウント基板３とヘッダ６とを電気的に接続することができるので、インターポーザ基板（中間基板）が不要となり、装置のより一層の低背化を図れるとともに、部品点数を削減することができる。
【００４４】
また、マウント基板３に柱状配線３８を立設し、その柱状配線３８を介してマウント基板３とヘッダ６とを電気的に接続するように構成することによって、柱状配線３８の直径が通常百ミクロン以下であることから、数百ミクロン程度の半田ボールでマウント基板に接続されたインターポーザ基板を用いてマウント基板と電気コネクタとを接続する場合と異なり、マウント基板３上の外部電気接続用端子部３６ａの占有面積を上記インターポーザ基板を用いる場合よりも小さくすることができる。これにより、図１１に示すように、マウント基板３のサイズを縮小させることも可能である。
【００４５】
また、封止体３７によりマウント基板３の配線パターン３６を封止して湿気や埃から保護することができる。
【００４６】
また、封止体３７によってさらに発光素子４ＡおよびＩＣ基板５Ａをも封止して保護するとともに、発光素子４ＡおよびＩＣ基板５Ａで発生する熱を封止体３７に速やかに移動させることで放熱性を向上させることができる。
【００４７】
本実施形態では、光電気変換装置１Ｂとして、発光側光電気変換部１Ｂ１から受光側光電気変換部に光信号が送られる一方向通信型のものを示したが、光電気変換装置１Ｂは、発光側光電気変換部１Ｂ１に受光素子４Ｂを実装するとともに受光側光電気変換部に発光素子４Ａを実装し、かつ、マウント基板３に複数の導波路３１を形成した双方向通信型のものであってもよい。また、光電気変換装置１Ｂは、少なくとも発光側光電気変換部１Ｂ１または受光側光電気変換部の一方を備えていればよい。また、一方向通信型、双方向通信型の両方において、１チャンネルの通信について説明しているが、アレイ形状の受発光素子を実装して、多チャンネル通信であってもよく、外部導波路９も複数の導波路が形成されたものを使用すればよい。
【００４８】
また、発光素子４ＡおよびＩＣ基板５Ａの両方がマウント基板３の一方面３ａに設けられているが、これに限らず、発光素子４ＡおよびＩＣ基板５Ａの両方あるいはいずれか一方がマウント基板３の他方面３ｃに設けられていてもよい。
【図面の簡単な説明】
【００４９】
【図１】参考例の光電気変換装置およびこの光電気変換装置が接続される配線基板の概略構成図である。
【図２】参考例の光電気変換装置の発光側光電気変換部を分解した図である。
【図３】（ａ）は光素子が実装されたマウント基板の側面図、（ｂ）は（ａ）のＡ−Ａ線断面図である。
【図４】導波路が設けられる前の状態のマウント基板を下方から見た斜視図である。
【図５】（ａ）はマウント基板の下面図、（ｂ）は（ａ）の断面図であり、（ｃ）は変形例のマウント基板の下面図、（ｄ）は（ｃ）の断面図である。
【図６】（ａ）はソケット型電気コネクタの斜視図、（ｂ）はヘッダ型電気コネクタの斜視図である。
【図７】参考例の光電気変換装置の受光側光電気変換部を分解した図である。
【図８】本発明の一実施形態に係る光電気変換装置のマウント基板とヘッダとを示した概略正面図である。
【図９】本発明の一実施形態に係る光電気変換装置のマウント基板を下方から見た概略斜視図である。
【図１０】本発明の一実施形態に係る光電気変換装置のマウント基板に封止体を設けた状態を示した概略斜視図である。
【図１１】本発明の一実施形態の変形例に係る光電気変換装置のマウント基板を下方から見た概略斜視図である。
【符号の説明】
【００５０】
１Ｂ  光電気変換装置
２    配線基板
３    マウント基板
３ａ  一方面
３ｃ  他方面
３１  内部導波路
３６  配線パターン
３６ａ  外部電気接続用端子部
３７  封止体
３８  柱状配線
３８ａ  先端部
３９  再配置配線パターン
３９ａ  再配置配線部
３９ｂ  再配置端子部
４Ａ  発光素子
４Ｂ  受光素子
５Ａ，５Ｂ  ＩＣ基板
５０Ａ，５０Ｂ  ＩＣ回路
６    ヘッダ型電気コネクタ
７    ソケット型電気コネクタ
９    外部導波路
【図１】
2008091504.tif 000003
【図２】
2008091504.tif 000004
【図３】
2008091504.tif 000005
【図４】
2008091504.tif 000006
【図５】
2008091504.tif 000007
【図６】
2008091504.tif 000008
【図７】
2008091504.tif 000009
【図８】
2008091504.tif 000010
【図９】
2008091504.tif 000011
【図１０】
2008091504.tif 000012
【図１１】
2008091504.tif 000013